(57)【要約】【課題】  荒削り用の砥石を用意する必要がなく、砥石の高寿命化が可能な刃研ぎ装置を提供すること。【解決手段】  砥石２を固定した土台３と、研磨対象の刃物１を着脱可能に取り付ける刃物支持部と、刃物支持部が先端部に設けられた長尺の操作棒部材５と、砥石から離間した位置に設けられ操作棒部材の基端部が上部の垂直軸部に支持された棒支持部７と、土台上に設置され紙やすりＰを固定可能な紙やすり台２０とを備え、棒支持部が、砥石の上面と刃物支持部に取り付けた前記刃物とを所定角度で接触させた状態を維持して傾斜状態の操作棒部材を垂直軸部を中心に回動可能に支持し、紙やすり台が、紙やすりを砥石上に載置状態で固定可能とされている。【選択図】      図２
0003205848.tif 000002
【実用新案登録請求の範囲】
【請求項１】
砥石を固定した土台と、
研磨対象の刃物を着脱可能に取り付ける刃物支持部と、
前記刃物支持部が先端部に設けられた長尺の操作棒部材と、
前記砥石から離間した位置に設けられ前記操作棒部材の基端部が上部の垂直軸部に支持された棒支持部と、
前記土台上に設置され紙やすりを固定可能な紙やすり台とを備え、
前記棒支持部が、前記砥石の上面と前記刃物支持部に取り付けた前記刃物とを所定角度で接触させた状態を維持して傾斜状態の前記操作棒部材を前記垂直軸部を中心に回動可能に支持し、
前記紙やすり台が、前記紙やすりを前記砥石上に載置状態で固定可能とされていることを特徴とする刃研ぎ装置。
【請求項２】
請求項１に記載の刃研ぎ装置において、
前記紙やすり台が、前記土台上を水平移動可能に設置されていることを特徴とする刃研ぎ装置。
【請求項３】
請求項１又は２に記載の刃研ぎ装置において、
前記紙やすり台が、前記紙やすりの両辺部を着脱可能に固定して張設可能なやすり固定部を有していることを特徴とする刃研ぎ装置。
【考案の詳細な説明】
【技術分野】
【０００１】
本考案は、例えば、カンナ刃、ノミや包丁等の刃物を高精度に研ぐことが可能な刃研ぎ装置に関する。
【背景技術】
【０００２】
一般に、カンナ刃、ノミや包丁等の刃物を研ぐには作業者が砥石に刃物の刃先を所定の角度で当てて摺動させることにより研磨を行っている。しかしながら、刃物の種類に応じて刃先の角度が異なり、砥石に対する刃物の接触角度を正確に調整すると共に一定に保持しながら研磨を行う必要がある。このため、刃物の高精度な研磨を行うには、熟練した技を有する職人等でなければ困難であった。
【０００３】
従来、例えば特許文献１では、刃物を保持する保持部にキャスタを設け、所定角度で砥石に刃物を接した状態で保持部を移動させることで研磨を行う刃物研ぎ治具が提案されている。この刃物研ぎ治具では、刃物が砥石に接する角度を調整可能であり、キャスタによってスムーズに刃物を移動させることで、容易に鋭利な刃付けを可能にするものである。
また、特許文献２では、刃物を刃物保持具に固定して所定の角度で研磨板の研磨面に押しつけるようにして刃物保持具を支持する支持台を、研磨面に平行に動かして刃物を研磨する刃物用研磨装置が提案されている。この刃物用研磨装置は、特許文献１と同様に刃物を所定角度で研磨面に当てて移動させることで良好な研磨を実現しようとしている。
【０００４】
上記特許文献１及び２に記載の技術では、作業者の手を刃物に添えて加圧し、刃先を砥石に押し当てた状態で繰り返し摺動させるが、摺動時に刃先への加圧力がバラツキやすく研磨にバラツキが生じてしまっていた。したがって、刃物の刃先と砥石とを所定角度に保持できても、やはり、かなりの熟練者でなければ高精度な研磨が困難であった。
また、刃物を保持する部材で砥石に対する刃先の角度を調整しているが、刃物を保持する部分の近傍で角度を調整する方式であるため、高精度に上記角度を調整することが困難であった。
【０００５】
そこで、本出願人は、刃物の刃先に加える圧力バラツキを抑制し、高精度に設定された接触角度で非常に高精度な研磨を可能にする刃研ぎ装置として、特許文献３に記載の刃研ぎ装置を開発した。この刃研ぎ装置では、砥石と刃物とを所定角度で接触させた状態を維持すると共に、傾斜状態の操作棒部材を回動可能に支持しているので、作業者が操作棒部材を手で回動操作することで操作棒部材及び刃物の自重と長尺で傾斜した操作棒部材の大きな回動ストロークとにより、作業者が加圧しない状態でも一定の圧力が刃先に加わる状態が保持される。このため、刃先に加わる圧力のうち作業者の手による加圧分の割合が低減され、摺動時における作業者の手による加圧バラツキが緩和される。したがって、摺動時における刃物の刃先に加わる接触圧バラツキが抑制され、安定した加圧力で刃物の刃先を砥石上で摺動させることが可能になる。
【先行技術文献】
【特許文献】
【０００６】
【特許文献１】特開平１０−１８０５９８号公報
【特許文献２】特開平１１−３４７８９５号公報
【特許文献３】特許第４６８３６５１号公報
【考案の概要】
【考案が解決しようとする課題】
【０００７】
上記従来の技術には、以下の課題が残されている。
上記特許文献３に記載の技術では、高精度な研磨が可能であるが、同じ砥石上で繰り返し刃先を摺動させると、砥石の一部（特に中央部）が偏って減ってしまう不都合があった。そのため、砥石の交換時期が早くなり、砥石の寿命が短くなってしまう場合があった。また、荒削りと仕上げ研磨とを行う場合、荒削り用と仕上げ用とで異なる砥石を用意する必要があると共に、砥石の交換作業を行う必要があった。
【０００８】
本考案は、前述の課題に鑑みてなされたもので、荒削り用の砥石を用意する必要がなく、砥石の高寿命化が可能な刃研ぎ装置を提供することを目的とする。
【課題を解決するための手段】
【０００９】
本考案は、前記課題を解決するために以下の構成を採用した。すなわち、本考案の刃研ぎ装置は、砥石を固定した土台と、研磨対象の刃物を着脱可能に取り付ける刃物支持部と、前記刃物支持部が先端部に設けられた長尺の操作棒部材と、前記砥石から離間した位置に設けられ前記操作棒部材の基端部が上部の垂直軸部に支持された棒支持部と、前記土台上に設置され紙やすりを固定可能な紙やすり台とを備え、前記棒支持部が、前記砥石の上面と前記刃物支持部に取り付けた前記刃物とを所定角度で接触させた状態を維持して傾斜状態の前記操作棒部材を前記垂直軸部を中心に回動可能に支持し、前記紙やすり台が、前記紙やすりを前記砥石上に載置状態で固定可能とされていることを特徴とする。
【００１０】
この刃研ぎ装置では、紙やすり台が、紙やすりを砥石上に載置状態で固定可能とされているので、刃先を研磨する際に、まず番手の荒い紙やすりを砥石上に載置して荒削りを行い、その後、紙やすりを外してその位置で仕上げ研磨を砥石で行うことができる。このように、荒削りと仕上げ研磨とを紙やすりと砥石とに分けて行うことが容易にでき、荒削り用の砥石が不要であると共に、砥石の偏摩耗を抑制して寿命を延ばすことができる。また、荒削りの際に、砥石が紙やすりの台となり、安定した研磨が可能になると共に、仕上げの際には、紙やすりを外した位置に砥石がセットされているため、そのまま刃先を砥石上で摺動させることが可能である。なお、紙やすりを外した際には、紙やすりの厚み分だけ刃先の位置が下がり、砥石に刃先の当たる角度が若干大きくなることで、良好な仕上げ研磨が可能になる。
【００１１】
第２の考案に係る刃研ぎ装置は、第１の考案において、前記紙やすり台が、前記土台上を水平移動可能に設置されていることを特徴とする。
すなわち、この刃研ぎ装置では、紙やすり台が、土台上を水平移動可能に設置されているので、紙やすり台を水平移動させることで、刃先が当たる位置を適宜変更することができ、紙やすりが摩耗する領域を変更して効率的に使用することができる。
【００１２】
第３の考案に係る刃研ぎ装置は、第１又は第２の考案において、前記紙やすり台が、前記紙やすりの両辺部を着脱可能に固定して張設可能なやすり固定部を有していることを特徴とする。
すなわち、この刃研ぎ装置では、紙やすり台が、紙やすりの両辺部を着脱可能に固定して張設可能なやすり固定部を有しているので、紙やすりを容易に張設でき、たるみを防止して安定した研磨が可能になる。
【考案の効果】
【００１３】
本考案によれば、以下の効果を奏する。
すなわち、本考案に係る刃研ぎ装置によれば、紙やすり台が、紙やすりを砥石上に載置状態で固定可能とされているので、荒削りと仕上げ研磨とを紙やすりと砥石とに分けて行うことが容易にでき、砥石の減りを抑制して寿命を延ばすことができる。
【図面の簡単な説明】
【００１４】
【図１】本考案に係る一実施形態の刃研ぎ装置を示す側面図である。
【図２】本実施形態において、荒削り時の刃研ぎ装置を示す上面図である。
【図３】本実施形態において、紙やすり台を示す斜視図である。
【図４】本実施形態において、紙やすり台を示す分解斜視図である。
【図５】本実施形態において、荒削り時の要部の拡大断面図である。
【図６】本実施形態において、仕上げ研磨時の刃研ぎ装置を示す上面図である。
【考案を実施するための形態】
【００１５】
以下、本考案に係る刃研ぎ装置の一実施形態を、図１から図６を参照しながら説明する。
【００１６】
本実施形態の刃研ぎ装置は、図１及び図２に示すように、長方形板状の砥石２を固定した土台３と、研磨対象の刃物１を着脱可能に取り付ける刃物支持部４と、刃物支持部４が先端部に設けられた長尺の操作棒部材５と、砥石２から離間した位置に立設され操作棒部材５の基端部が上部の垂直軸部６に回動可能に支持された棒支持部７と、土台３上に設置され紙やすりＰを固定可能な紙やすり台２０とを備えている。
上記紙やすり台２０は、紙やすりＰを砥石２上に載置状態で固定可能とされている。
なお、本実施形態では、例えば刃物１としてノミを刃物支持部４に取り付けている。
【００１７】
上記土台３には、砥石２が着脱可能に取り付けられた砥石支持部材８が設けられている。この砥石支持部材８は、砥石２をその長さ方向が土台３の長さ方向に直交するように配置していると共に、土台３の長さ方向にスライド可能かつ着脱可能に土台３の枠内に取り付けられている。また、砥石支持部材８は、その裏面の中央に例えば１７ｍｍのボルトナットがワッシャを介して固定されている。
【００１８】
土台３の一端側の枠には、土台３の長さ方向に枠貫通孔３ａが形成されており、該枠貫通孔３ａには、雄ねじ棒部材１１が回転可能にかつ進退不可能に貫通支持されている。一方、砥石支持部材８には、土台３の長さ方向に砥石側貫通孔（図示略）が形成されており、該砥石側貫通孔に雌ねじ部材（図示略）が埋め込まれている。そして、上記雄ねじ棒部材１１の先端側は、雄ねじ部材に螺着されて砥石貫通孔を貫通している。
【００１９】
また、雄ねじ棒部材１１は、基端側が屈曲したハンドル部１１ａとされている。すなわち、ハンドル部１１ａを回すことにより、雄ねじ棒部材１１が回転し、螺着された雌ねじ部材が埋め込まれた砥石支持部材８が前後に土台３上を移動する。したがって、この雄ねじ棒部材１１及びその取付構造は、砥石２と棒支持部７との距離を変更する距離調整機構として機能する。この雄ねじ棒部材１１を操作することにより刃物支持部４に取り付けられた刃物１の刃先を砥石２の上面に位置するように設定する。
【００２０】
棒支持部７の上端に固定された垂直軸部６は、雄ねじ棒とされ、根本部分に３つの調整ナット１３が螺着され、その上には、所定長さの高さ調整筒部材１４が挿通されている。この高さ調整筒部材１４は、異なる長さのものが複数用意されている。また、各高さ調整筒部材１４の外周面には、その長さ及び使用時の操作棒部材５の傾斜角度が表示されている。
【００２１】
上記操作棒部材５は、土台３の長さにほぼ同じ又は若干短い（例えば、土台３の長さの９０％、１ｍ程度）長尺のパイプ状部材であり、基端部に円環部材１５が取り付けられている。この操作棒部材５は、円環部材１５に垂直軸部６が挿通されて全体が砥石２側に向けて傾斜状態とされ、高さ調整筒部材１４の上端に回動可能に支持されている。このように棒支持部７は、砥石２の上面と操作棒部材５の先端部（すなわち、刃物支持部４に取り付けた刃物１）とを所定角度で接触させた状態を維持して傾斜状態の操作棒部材５を垂直軸部６を中心に回動可能に支持している。
【００２２】
また、それぞれ高さの異なる高さ調整筒部材１４を適宜取り替えて使用することにより、円環部材１５（操作棒部材５の基端部）の高さ位置を変更することができ、操作棒部材５の傾斜角度及び砥石２と刃物１との接触角度を調整することができる。さらに、調整ナット１３を回動させて上下させ、高さ調整筒部材１４の高さを変えることで、操作棒部材５の傾斜角度及び砥石２と刃物１との接触角度を微調整することができる。このように、高さ調整筒部材１４及び調整ナット１３は、操作棒部材５の基端部の高さ位置を変更する高さ調整機構であって、砥石２の上面と刃物１との接触角度を調整可能な角度調整機構として機能する。
【００２３】
上記刃物支持部４は、操作棒部材５の先端部に半筒状に形成され刃物１の柄１ａを嵌め込み可能な受け部４ａと、受け部４ａに刃物１の柄１ａを嵌め込んだ状態でその上に被せる半筒部材４ｂと、柄１ａに半筒部材４ｂを重ねた状態で半筒部材４ｂと受け部４ａとを挟持して刃物１を固定するクランプ部材１６とで構成されている。このように刃物支持部４に柄１ａが固定された刃物１は、刃先１ｂが操作棒部材５の先端に配され、紙やすりＰ又は砥石２の上面に接触するように位置決めされる。このとき、刃物支持部４には、操作棒部材５の回動方向に沿って刃先１ｂが延在するように刃物１を取り付ける。
【００２４】
また、上記土台３には、棒支持部７に隣接して低部用支持部（棒支持部）１０７が固定されており、この低部用支持部１０７上に雄ねじ棒の低部用垂直軸部（垂直軸部）１０６が立設されている。この低部用垂直軸部１０６にも、調整ナット１３と同様の２つの調整ナット１１３が根本部分に螺着されていると共に、高さ調整筒部材１４と同様の高さ調整筒部材１１４が挿通されている。この低部用垂直軸部１０６は、操作棒部材５を水平状態又は浅い角度で支持するためのものであり、高さ調整筒部材１１４及び調整ナット１１３はその角度の調整及び微調整するためのものである。したがって、円環部材１５を低部用支持部１０７に挿通させて操作棒部材５の基端部を低部用垂直軸部１０６で支持することで、操作棒部材５を平行状態や低角度に設定でき、片刃の刃物１の裏面側などを研磨する場合などに好適である。
【００２５】
上記紙やすり台２０は、土台３上を水平移動可能に設置されている。すなわち、紙やすり台２０は、土台３の幅方向に架け渡された断面コ字状とされ、土台３の延在方向にスライド可能となっている。
この紙やすり台２０は、図２から図４に示すように、土台３の両側面に当接する一対の側板部２０ａと、一対の側板部２０ａ間に架け渡されて設けられていると共に互いの間に紙やすり用空間Ｓを空けて土台３上に載置される一対の上板部２０ｂとを備えている。
【００２６】
また、紙やすり台２０は、紙やすりＰの両辺部を着脱可能に固定して張設可能なやすり固定部２２を有している。
上記やすり固定部２２は、一対の上板部２２ｂ上に上板部２２ｂの延在方向に沿って形成された一対の溝部２０ｃと、一対の溝部２０ｃ内に紙やすりＰの辺部を挟んだ状態で嵌め込んで紙やすりＰを張設状態に固定する一対の固定用棒部材２１とで構成されている。
【００２７】
次に、本実施形態の刃研ぎ装置を用いた刃物の研磨方法について、荒削り工程と仕上げ研磨工程とに分けて説明する。
荒削り工程では、まず紙やすり台２０に荒削り用の紙やすりＰ（例えば、２４０番の紙やすり）をやすり固定部２２によりセットする。すなわち、図３及び図４に示すように、一対の溝部２０ｃ内に紙やすりＰの折り曲げた両辺部を差し込んだ状態で、一対の固定用棒部材２１を溝部２０ｃに嵌め込んで紙やすりＰの両辺部を挟んだ状態で固定すると共に、一対の溝部２０ｃ間であって紙やすり用空間Ｓ上に紙やすりＰを張設状態とする。
【００２８】
次に、仕上げ用の砥石２を砥石支持部材８にセットすると共に、紙やすりＰをセットした紙やすり台２０を、紙やすりＰが砥石２上に位置するようにして土台３上に載置する。
さらに、刃物１を刃物支持部４に取り付ける。この際、刃物１の研ぐ刃先１ｂの刃面を下側に向けてセットする。さらに、紙やすりＰ及び砥石２の上面と刃物１との接触角度を調整するため、所定の傾斜角度が得られるように所定長さの高さ調整筒部材１４を選択して垂直軸部６に装着する。
【００２９】
次に、操作棒部材５の円環部材１５に垂直軸部６を挿通させて操作棒部材５の基端部を垂直軸部６で支持すると共に、雄ねじ棒部材１１のハンドル部１１ａを回転させて砥石支持部材８を移動させ、刃物支持部４に支持された刃物１の刃先１ｂが砥石２上の紙やすりＰに接触するように砥石２の位置を設定する。さらに、紙やすりＰの上面と刃物１の刃先１ｂとの接触角度を微調整するには、調整ナット１３を回転させて高さ調整筒部材１４及び操作棒部材５の基端部の高さ位置を調整する。
【００３０】
刃先１ｂの接触角度を調整した後、刃物１の刃先１ｂが紙やすりＰに接触した状態で、操作棒部材５を作業者が手で持って垂直軸部６を中心に回動させ、大きな円弧状の軌跡を描いて刃先１ｂを摺動させる。この際、刃先１ｂの摺動方向が、刃物１の刃先１ｂが延在する方向（刃渡り方向）に一致し、いわゆる横研ぎとなる。また、作業者により操作棒部材５に対して下方への力が適宜加えられるが、この加圧力が変動しても、長尺で傾斜状態とされた操作棒部材５の先端部に加わる圧力変動は抑制され、紙やすりＰに接触している刃先１ｂ全体に連続して安定した押圧が加えられる。
【００３１】
また、基端部が位置決めされた長尺な操作棒部材５の回動によって大きな円弧状の軌跡をもって刃先１ｂが摺動されるため、紙やすりＰと刃先１ｂとのぶれが生じ難く安定した摺動動作が可能である。このように、操作棒部材５の回動による刃先１ｂの摺動操作を紙やすりＰ下の砥石２の幅内で繰り返すことで、所定の接触角度で安定した加圧状態を維持しながら刃先１ｂを良好に荒削り研磨することができる。
【００３２】
なお、刃物１の研磨を繰り返し行って紙やすりＰの上面が部分的に磨耗した場合、紙やすり台２０を土台３上で適宜スライドさせることで、紙やすりＰの刃先１ｂが当たる領域を変え、摩耗していない面で研磨を行うことができる。
【００３３】
次に、仕上げ研磨工程について説明する。
仕上げ研磨を行う際は、図６に示すように、土台３から紙やすり台２０を取り外し、刃物１の刃先１ｂを砥石２に直接当接させる。
刃物１の刃先１ｂが砥石２に接触した状態で、操作棒部材５を作業者が手で持って垂直軸部６を中心に回動させ、大きな円弧状の軌跡を描いて刃先１ｂを摺動させることで、刃先１ｂの仕上げ研磨を行うことができる。
【００３４】
上述したように本実施形態では、紙やすり台２０が、紙やすりＰを砥石２上に載置状態で固定可能とされているので、刃先１ｂを研磨する際に、まず番手の荒い紙やすりＰを砥石２上に載置して荒削りを行い、その後、紙やすりＰを外してその位置で仕上げ研磨を砥石２で行うことができる。このように、荒削りと仕上げ研磨とを紙やすりＰと砥石２とに分けて行うことが容易にでき、荒削り用の砥石が不要であると共に、砥石２の偏摩耗を抑制して寿命を延ばすことができる。
【００３５】
また、荒削りの際に、砥石２が紙やすりＰの台となり、安定した研磨が可能になると共に、仕上げの際には、紙やすりＰを外した位置に砥石２がセットされているため、そのまま刃先１ｂを砥石２上で摺動させることが可能である。なお、紙やすりＰを外した際には、紙やすりＰの厚み分だけ刃先１ｂの位置が下がり、砥石２に刃先１ｂの当たる角度が若干大きくなることで、良好な仕上げ研磨が可能になる。
【００３６】
また、紙やすり台２０が、土台３上を水平移動可能に設置されているので、紙やすり台２０を水平移動させることで、刃先１ｂが当たる位置を適宜変更することができ、紙やすりＰが摩耗する領域を変更して効率的に使用することができる。
さらに、紙やすり台２０が、紙やすりＰの両辺部を着脱可能に固定して張設可能なやすり固定部２２を有しているので、紙やすりＰを容易に張設でき、たるみを防止して安定した研磨が可能になる。
【００３７】
なお、本考案の技術範囲は上記実施形態に限定されるものではなく、本考案の趣旨を逸脱しない範囲において種々の変更を加えることが可能である。
【００３８】
例えば、刃物１が片刃又は両刃であっても、刃物１の形態に応じて刃物支持部４を適宜選択することで、種々の刃物１を研磨することができる。
また、紙やすり台２０に２以上の異なる種類（番数など）の紙やすりＰを並べて張設しても構わない。
さらに、砥石支持部材８に１つの砥石２を取り付けているが、２以上の同種類（番数など）又は異なる種類（番数など）の砥石２を並べて取り付けても構わない。
また、上記実施形態のように、やすり固定部２２により紙やすりＰの両辺部を固定して紙やすりＰを張設していることが好ましいが、紙やすりＰの両辺部の一方だけを固定して砥石２上に紙やすりＰを載置しても構わない。
【００３９】
また、土台３の側部に、操作棒部材５の傾斜角度の目安になるように、分度器の角度表示と同様に角度の表示線及び数値が表示された角度表示板などを取り付けておいても構わない。
また、垂直軸部６又は低部用垂直軸部１０６と円環部材１５とには、ある程度のクリアランスが設定されており、操作棒部材５がその軸線を中心にある程度回動可能とされている。これにより、例えば丸ノミなどの刃先１ｂがカーブした刃物１でも、摺動時に操作棒部材５を刃先１ｂのカーブに応じて軸線を中心に回動操作することで、カーブした刃先１ｂの全体を良好に研磨することが可能になる。
【符号の説明】
【００４０】
１…刃物、２…砥石、３…土台、４…刃物支持部、５…操作棒部材、６…垂直軸部、７…棒支持部、８…砥石支持部材、２０…紙やすり台、２２…やすり固定部、Ｐ…紙やすり
【図１】
0003205848.tif 000003
【図２】
0003205848.tif 000004
【図３】
0003205848.tif 000005
【図４】
0003205848.tif 000006
【図５】
0003205848.tif 000007
【図６】
0003205848.tif 000008